(57)【要約】【課題】  四角形状の収納物を収納した場合には、安定した収納状態が保たれるものの、例えば、円板状や円に近い多角形状の収納物を収納した場合には、安定した収納状態が得られず、左右の方向に移動してしまうものとなってしまっていた。【解決手段】  第１の袋体の表面に、その第１の袋体よりも小さい第２の袋体を設けたホルダーであって、その第２の袋体の底部近傍に第２の袋体を構成する表面と前記第１の袋体の表面とを接続する接続部を離隔した状態で複数設けたホルダー。【選択図】図１
2009126579.tif 000002
【特許請求の範囲】
【請求項１】
第１の袋体の表面に、その第１の袋体よりも小さい第２の袋体を設けたホルダーであって、その第２の袋体の底部近傍に第２の袋体を構成する表面と前記第１の袋体の表面とを接続する接続部を離隔した状態で複数設けたことを特徴とするホルダー。
【請求項２】
前記第２の袋体の開口部であって、その第２の袋体の表面に第２の袋体の内側に侵入する舌部を設けたことを特徴とする請求項１記載のホルダー。
【請求項３】
前記第２の袋体の少なくとも表面に貫通孔を形成したことを特徴とする請求項１、或いは、請求項２に記載のホルダー。
【請求項４】
前記第２の袋体と並行して、その第２の袋体よりも小さい第３の袋体を設けたことを特徴とする請求項１〜請求項３の何れかに記載のホルダー。
【請求項５】
前記少なくも第１の袋体を無延伸ポリプロピレンで形成したことを特徴とする請求項１〜請求項４の何れかに記載のホルダー。
【請求項６】
前記少なくとも第２の袋体の底部を下方に向けて傾斜させたことを特徴とする請求項１〜請求項５の何れかに記載のホルダー。
【発明の詳細な説明】
【技術分野】
【０００１】  本発明は、第１の袋体の表面に、その第１の袋体よりも小さい第２の袋体を設けたホルダーに関するものである。
【背景技術】
【０００２】  １例として、外側ポケットと内側ポケットからなる二重ポケットを構成するファイル用綴じ具が知られている。
詳述すると、内側ポケットの表面には外側ポケットが一体的に設けられており、その外側ポケットの開口部であって、また、その開口部の裏面に当たる前記内側ポケットの表面には、前記開口部を覆う開閉可能な舌部が設けられている。一方、外側ポケットの表面には、円弧状の切欠部が形成されている。前記舌部は、収納した物品がポケットから脱落することを防止するためのものであり、切欠部は収納した物品を取り出しやすくするためのものである。【０００３】
【特許文献１】  意匠登録第１２９５９６３号
【発明の開示】
【発明が解決しようとする課題】
【０００４】  しかし、上記従来技術にあっては、四角形状の収納物を収納した場合には、安定した収納状態が保たれるものの、例えば、円板状や円に近い多角形状の収納物を収納した場合には、安定した収納状態が得られず、左右の方向に移動してしまうものとなってしまっていた。
【課題を解決するための手段】
【０００５】  そこで、本発明は、第１の袋体の表面に、その第１の袋体よりも小さい第２の袋体を設けたホルダーであって、その第２の袋体の底部近傍に第２の袋体を構成する表面と前記第１の袋体の表面とを接続する接続部を離隔した状態で複数設けたことを要旨とする。
【発明の効果】
【０００６】  本発明は、第１の袋体の表面に、その第１の袋体よりも小さい第２の袋体を設けたホルダーであって、その第２の袋体の底部近傍に第２の袋体を構成する表面と前記第１の袋体の表面とを接続する接続部を離隔した状態で複数設けたので、四角形状の収納物は勿論、円板状や円に近い多角形状の収納物を収納した場合においても、安定した収納状態が得られる。
【発明を実施するための最良の形態】
【０００７】  透明、或いは、有色半透明な無延伸ポリプロピレンやポリエチレンテレフタレート、ポリ塩化ビニル、低密度ポリエチレンなどの樹脂材質からなる第１の袋体１は、その大きさがＡ４サイズ（ＪＩＳＳ５５０６）からなるが、このサイズに限定されることなくＢ４サイズやＢ５サイズであっても良い。その第１の袋体１は、３方向（底側溶着部１ａ、左側溶着部１ｂ、右側折り返し部１ｃ）が囲われており上方部が開口部１ｄとなっている。また、第１の袋体１の左側溶着部１ｂの端部には、本発明のホルダーを一般的なファイルに連綴するための連綴片２が延設形成されている。その連結片２には、ファイルに連綴するための貫通孔３が複数形成されている。また、連結片２は、袋状になっており、その内部には、前記貫通孔３の周縁部を補強する帯状の補強体４が挿入されている。その補強体４は、第１の袋体１と同様なポリプロピレンから形成されているが、上述したような他の材質であっても良く、或いは、紙などの材質であっても良い。
尚、本例においては、底側溶着部１ａや左側溶着部１ｂは熱溶着によって形成しているが、これに限定されることなく、超音波溶着や接着、或いは、縫製などの手段によって底部１ａを形成しても良い。さらに、具体的に説明すると底側溶着部１ａや左側溶着部１は、部分的に溶着されている。隣り合う溶着部間に非溶着部を形成することによって、第１の袋体１に入った空気を逃げやすくしているのである。即ち、第１の袋体１に入った空気は、底側溶着部１ａ、並びに、左側溶着部１ｂの非溶着部から、そして、開口部１ｄの３方向から逃げ出すことが可能となっている。これにより、本発明のホルダーの重合配置による厚みの増加を極力防止することができる。
ちなみに、この第１の袋体１には、説明書やパンフレットが挿入させるものとなっている。【０００８】  前記第１の袋体１の表面５には、第１の袋体１よりも小さな第２の袋体７が溶着や接着、縫製などの手段によって連結・配置されているが、裏面６に配置しても良い。本例においては、第２の袋体７が熱溶着によって連結されており、また、部分的な溶着部となっている。前記と同様に、隣り合う溶着部間に非溶着部を形成することによって、第２の袋体７に入った空気を逃げやすくしているのである。第２の袋体７は、３方が前記第１の袋体１の表面に溶着（底側溶着部７ａ、左側溶着部７ｂ、右側溶着部７ｃ）されることにより構成されており、上方部が開口部７ｃとなっている。前記底側溶着部７ａは、左右の端部から下方に向けて傾斜した状態で溶着されている。円盤状の収納体（例えば、コンパクトディスクやＤＶＤ）を入れた際、その収納体の下部が傾斜部の下端部に接触し、安定した挿入状態が得られる。つまり、円盤状の収納体の下端部近傍の両側部が傾斜した両側の底部に接触するのである。
また、第２の袋体７の底側溶着部７ａの近傍にも、前記第１の袋体１と接続される中間溶着部７ｄが形成されているが、その中間溶着部７ｄは離隔した２箇所に形成されているが、３個所や４箇所などであっても良い。或いは、上方向に向かって拡開するよう階段状に形成しても良い。そして、その離隔して形成された中間溶着部７ｄの中央部の下方に、前記傾斜した底側溶着部７ａの最下端部が位置している。この中間溶着部７ｄによって、収納体の中間部の両側部も中間溶着部７ｄに接触することになり、更なる収納体の安定性が得られる。
また、第２の袋体７の開口部７ｃであって、その第２の袋体７の表面には半円弧状の舌部８が形成されており、その舌部８は第２の袋体７の内側に折り曲げられており、袋体７に侵入し得るようになっている。この舌部８によって袋体８に収納された収納体の飛び出しを防止しているのである。
また、舌部８は、開口部７ｃの全域に渡って形成されているのではなく、中間部に形成されている。即ち、開口部７ｃの両側端部近傍には舌部８が形成されていない。第２の袋体７に侵入した舌部８を指などで引き出しやすく、また、再び侵入しやすくしているのである。
さらに、第２の袋体７のほぼ中央部には、円形の貫通孔９が形成されている。この貫通孔９に指などを挿入することによって、収納されている収納体を開口部１ｃに向かって引く上げることができ、容易に取り出すことができるようになる。
尚、この第２の袋体７は、前記第１の袋体１と同様に無延伸ポリプロピレンやポリエチレンテレフタレートなどの材質で形成されているが、第１の袋体１と区別しやすいように、着色するなどしても良い。第１の袋体１と第２の袋体７を同色にしてしまうと、特に、開口部７ｃが見えにくくなってしまい、収納する際、開口部７ｃを探すようになり、違和感を募らせてしまう。【０００９】  さらに、前記第１の袋体１の表面５であって、第２の袋体７の下方には、その第２の袋体７よりも小さい第３の袋体１０が溶着や接着などの手段によって連結・配置されている。その第３の袋体１０は、４方が溶着（底側溶着部１０ａ、左側溶着部１０ｂ、右側溶着部１０ｃ、上側溶着部１０ｄ）されることにより構成されており、上方部に開口部１０ｅが形成されている。つまり、第３の袋体１０の上端部近傍にも袋体１０ｆが形成されているのである。開口部１０ｅの上方にも袋体１０ｆを形成することによって、収納体の飛び出しを防止しているのである。即ち、収納体が不慮の外力によって上方に移動してしまった場合には、開口部１０ｅの上方の袋体１０ｆに収納体が侵入し、その結果、第３の袋体１０からの飛び出しが防止されるのである。
前記開口部１０ｅは、Ｔ字状に形成されているが、縦方向の切欠部１１は、上方に向かい徐々に拡開している。収納した収納体を入れやすくすると共に、取り出しやすくしているのである。一方、横方向の切欠部１２は、一定の幅で袋体３の端部近傍付近まで切り欠かれている。収納体を収納しやすくすると共に、収納体の開口部１０からの不用意な飛び出しを防止している。
また、この第３の袋体１０の横幅は、例えば、収納されるコンパクトディスク（収納体）の幅と同程度か、若干大きなものとなっている。収納時におけるコンパクトディスクの安定性を図っているのである。ここで、前記第２の袋体７の横幅は、音楽や映像が記録されているコンパクトディスクに付随しているジャケットの大きさよりも若干大きなものとなっている。つまり、本例においては、第１の袋体１にパンフレットを収納し、第２の袋体７にジャケットを収納し、第３の袋体１０にコンパクトディスクを収納するのに適したホルダーとなっている。そして、これらが収納された複数のホルダーをファイルに連綴することが可能なものとなっている。
尚、この第３の袋体１０は、前記第１の袋体１や第２と袋体７と同様に無延伸ポリプロピレンやポリエチレンテレフタレートなどの材質で形成されているが、第１の袋体１や第２の袋体７と区別しやすいように、着色するなどしても良い。各々異なった絵柄の模様などを付せば、各袋体が容易に区別することができると共に、また、デザイン的効果も向上する。【００１０】  尚、本例においては、前記第２の袋体７や第３の袋体１０を第１の袋体１の表面に溶着により固定したが、再接着・剥離が可能な接着剤やワンタッチテープ（例えば、マジックテープ；株式会社クラレの登録商標）によって着脱自在に固定しても良い。ユーザーが好みに合ったレイアウトを選択することができるようになり、購入意欲が向上するホルダーを提供することができる。
【図面の簡単な説明】
【００１３】
【図１】  本発明の１例を示す正面図。
【符号の説明】
【００１４】１      第１の袋体
２      連綴片
３      貫通孔
４      補強体
５      表面
６      裏面
７      第２の袋体
８      舌部
９      貫通孔
１０    第３の袋体
１１    切欠部
１２    切欠部
【図１】
2009126579.tif 000003